(57)【要約】【課題】  毛髪を掬う道具を別途用いる必要がなく、毛髪を毛髪保持具に挿入する前後においても毛髪を梳かすことができる毛髪挿入具を提供すること。【解決手段】  一端部の開口部から他端部の開口部に向けて毛髪束を挿通可能にシートにより構成された筒状体からなる毛髪保持具の内部に、毛髪束を挿入又は挿通する毛髪挿入具であって、毛髪束を係止し得る係止部２１を一端部に有する長尺状の本体２と、所定量の毛髪を掬う機能を有するスライス部２１と、該スライス部２１によって掬われた毛髪又はその他の毛髪を梳かす機能を有するコーム部３とを備えている。【選択図】  図１
2005318989.tif 000002
【特許請求の範囲】
【請求項１】
一端部の開口部から他端部の開口部に向けて毛髪束を挿通可能にシートにより構成された筒状体からなる毛髪保持具の内部に、毛髪束を挿入又は挿通する毛髪挿入具であって、
毛髪束を係止し得る係止部を一端部に有する長尺状の本体と、所定量の毛髪を掬う機能を有するスライス部と、該スライス部によって掬われた毛髪又はその他の毛髪を梳かす機能を有するコーム部とを備えている毛髪挿入具。
【請求項２】
前記係止部は、その形状が鉤形であり、前記係止部と前記スライス部とは一体的構造物として構成されており、前記コーム部は、その櫛歯が前記係止部に対向するように、前記本体における該係止部近傍に設けられている請求項１記載の毛髪挿入具。
【請求項３】
前記コーム部は、前記本体の長手方向に摺動自在に設けられ、毛髪束を前記係止部と該コーム部とで固定するようになしてある請求項２記載の毛髪挿入具。
【請求項４】
前記コーム部は、前記係止部から最も離間させた状態において、前記櫛歯が該係止部に向けて前記本体から延出している請求項３記載の毛髪挿入具
【請求項５】
前記本体の他端部近傍にも前記コーム部が設けられている請求項２〜４の何れかに記載の毛髪挿入具。
【発明の詳細な説明】
【技術分野】
【０００１】
本発明は、一端部の開口部から他端部の開口部に向けて毛髪束を挿通可能にシートにより構成された筒状体からなる毛髪保持具の内部に、毛髪束を挿入又は挿通する毛髪挿入具に関する。
【背景技術】
【０００２】
下記特許文献１には、筒状体からなる毛髪保持具（毛髪巻取具）の内部に毛髪を挿入する毛髪挿入具（毛髪取込具）が記載されている。
下記特許文献１記載の毛髪挿入具においては、棒状体の端部に毛髪を包囲可能な環部が一体成形されており、該環部にその内方に向けて立設する櫛歯が設けられている。
この毛髪挿入具によれば、櫛の柄の部分等を使用して毛髪を掬った後、その環部に毛髪を挿通、係止し、その状態で該毛髪挿入具を毛髪保持具内に挿通することにより、毛髪を毛髪保持具内に挿通することができ、それと同時に、環部の櫛歯により毛髪に櫛を通す（毛髪を梳かす）効果を付与することができるとされている。
【０００３】
【特許文献１】特開平１０−１９２０３６号公報
【発明の開示】
【発明が解決しようとする課題】
【０００４】
しかし、特許文献１記載の毛髪挿入具においては、毛髪保持具への毛髪の挿入の前に、毛髪挿入具とは別に櫛等の毛髪を掬う道具を用いる必要があり、また、環部の櫛歯では、毛髪を毛髪保持具に挿入するのと同時にしか毛髪を梳かすことができず、挿入前後においては毛髪を梳かすことができない。
【０００５】
従って、本発明の目的は、毛髪を掬う道具を別途用いる必要がなく、毛髪を毛髪保持具に挿入する前後においても毛髪を梳かすことができる毛髪挿入具を提供することにある。
【課題を解決するための手段】
【０００６】
本発明は、一端部の開口部から他端部の開口部に向けて毛髪束を挿通可能にシートにより構成された筒状体からなる毛髪保持具の内部に、毛髪束を挿入又は挿通する毛髪挿入具であって、毛髪束を係止し得る係止部を一端部に有する長尺状の本体と、所定量の毛髪を掬う機能を有するスライス部と、該スライス部によって掬われた毛髪又はその他の毛髪を梳かす機能を有するコーム部とを備えている毛髪挿入具を提供することにより前記目的を達成したものである。
【発明の効果】
【０００７】
本発明の毛髪挿入具によれば、毛髪を掬う道具を別途用いる必要がなく、毛髪を毛髪保持具に挿入する前後においても毛髪を梳かすことができる。
【発明を実施するための最良の形態】
【０００８】
以下、本発明の毛髪挿入具を、その好ましい一実施形態である第１実施形態について、図面を参照して説明する。
第１実施形態の毛髪挿入具１は、図１〜図５に示すように、一端部Ｔの開口部から他端部Ｔの開口部に向けて毛髪束Ｈを挿通可能にシートにより構成された筒状体からなる毛髪保持具Ｔの内部に、毛髪束Ｈを挿入又は挿通する毛髪挿入具であって、毛髪束Ｈを係止し得る係止部２１を一端部に有する長尺状の本体２と、所定量の毛髪を掬う機能を有するスライス部と、該スライス部によって掬われた毛髪又はその他の毛髪を梳かす機能を有するコーム部３とを備えている。
【０００９】
第１実施形態の毛髪挿入具１について更に詳述する。
第１実施形態の毛髪挿入具１は、図１に示すように、長尺状の本体２の一端部に係合部２１を有している。係合部２１は、その形状が鉤形で、毛髪束を係止し得るものである。
係合部２１は、図１に示すように、基部２１Ａ及び延出部２１Ｂからなる。基部２１Ａは、毛髪挿入具１の本体２の一端部の幅方向端部に連結され、本体２の長手方向に延びている。基部２１Ａの上端には、延出部２１Ｂが本体２の幅方向に延びるように連結されている。
【００１０】
延出部２１Ｂには、複数個の櫛歯孔部２１Ｃが形成されており、櫛歯孔部２１Ｃには、本体２側から、摺動部材からなるコーム部３の櫛歯３１（後述）が挿入できるようになっている。
基部２１Ａの内方側縁部には、基部２１Ａより肉薄の板状のスライド基部２３が設けられている。
【００１１】
本体２の一端部近傍は、図２に示すように、本体２の大部分を占める肉薄部２２Ａより厚くなっており、肉厚部２２Ｃを形成している。肉薄部２２Ａと肉厚部２２Ｃとは、本体２の他端部２４から一端部に向けて滑らかに厚くなっている傾斜部２２Ｂにより連続している。
肉厚部２２Ｃにおける幅方向中央部には、本体２の長手方向に延びる摺動凹部２５が形成されている。摺動凹部２５とスライド基部２３とは、同厚で一体的に形成されている。
摺動凹部２５は、図１及び図３に示すように、本体２の肉厚部２２Ｃの表裏面それぞれに形成されている。表裏面それぞれに形成された摺動凹部２５の両底部を貫通するように、凹部貫通孔２６〔図１（ｂ）参照〕が形成されている。
【００１２】
第１実施形態の毛髪挿入具１には、所定量の毛髪を掬う機能を有するスライス部が設けられている。係止部２１と該スライス部とは一体的構造物として構成されている。尚、以下の説明においては、この一体的構造物について使用態様に応じて「係止部２１」又は「スライス部２１」と呼び分ける。
【００１３】
本体２の一端部には、スライス部（係止部）２１によって掬われた毛髪又はその他の毛髪を梳かす機能を有するコーム部３とを備えている。コーム部３は、その櫛歯３１が係止部２１に対向するように、本体２における係止部２１近傍に設けられている。また、コーム部３は、摺動部材となっており、本体２の長手方向に摺動自在に設けられている。コーム部３の他端部を含む摺動凸部３２は、本体２の摺動凹部２５に嵌合する断面形状を有している。摺動凸部３２は、両面の摺動凹部２５それぞれに配置されており、凹部貫通孔２６を介して連結されている。
【００１４】
摺動凸部３２の大部分は、図２に示すように、本体２における肉厚部２２Ｃより厚くなっており、摺動凸部３２の上部（係合部２１側）である最肉厚部３３は、更に厚さが厚くなっている。
係合部２１の基部２１Ａは、本体２の肉厚部２２Ｃと略同じ厚さを有しており、延出部２１Ｂは、基部２１Ａより薄くなっている。
【００１５】
コーム部３は、図１に示すように、摺動凸部３２の下端部３４〔図１（ａ）参照〕が摺動凹部２５の下端部２５Ａに突き当たるまで下方に移動できるようになっており、この状態、即ち係止部２１から最も離間させた状態において、櫛歯３１が係止部２１に向けて本体２から延出している。
また、図３（ａ）に示すようにコーム部３の櫛歯３１が係合部２１の櫛歯孔部２１Ｃに挿入されるまで上方に移動できるようになっている。
そのため、本実施形態の毛髪挿入具においては、図１に示すようにコーム部３が下方に位置する状態において、毛髪束Ｈを係合部２１に係止させ、図３（ｂ）に示すようにコーム部３を上方に移動させることにより、毛髪束Ｈを、係合部２１に係止させた状態で、係合部２１とコーム部３の櫛歯３１とで固定できるようになっている。
【００１６】
本体２の肉薄部２２Ａの両側縁部の一部は、図１に示すように、幅方向内側に向けて湾曲しており、本体２の把持性を向上させている。
本体２には、切り抜き２７が形成されており、軽量化、材料費の低減、見栄えの向上等を図っている。
本体２の他端部２４近傍にも、摺動部材からなる前記コーム３とは別に、コーム部が設けられている。具体的には、図１に示すように、本体２の他端部２４近傍における両側縁部にそれぞれ多数の櫛歯を有するコーム部３Ａ、３Ｂが設けられている。
本体２の他端部２４の近傍は、四半円弧状に先細り形状となっており、毛髪保持具Ｔへの挿入性を向上させている。
本発明の毛髪挿入具における本体は、合成樹脂材料の切削又は成形加工、金属材料の切削加工等により形成することができ、本実施形態においては、合成樹脂材料の切削加工により形成されている。
【００１７】
次に、図１に示す第１実施形態の毛髪挿入具１の一使用態様について、図１〜図５を参照しながら説明する。
先ず図１に示すようにコーム部３を下方に配置する。その状態で、図４（ａ）に示すように、スライス部（係止部）２１で毛髪を適量掬って（スライス操作）、毛髪束Ｈを形成する。そして、図４（ｂ）に示すように、スライス部２１で適量の毛髪束Ｈを掬った状態のまま、スライス部２１に対向して立設しているコーム部３の櫛部３１により、毛髪束Ｈを梳かす（コーム操作）。
【００１８】
その後、図３（ｂ）に示すように、コーム部３を係止部（スライス部）２１側に移動し、毛髪束Ｈを、係止部２１とコーム部３の櫛歯３１とで固定する。
そして、毛髪束Ｈが固定された状態の毛髪挿入具１を、図５（ａ）〜（ｃ）に示すように、本体２の他端部２４から毛髪保持具Ｔの一端部Ｔ１の開口部へ挿入し、他端部Ｔ２の開口部から抜き出す（挿入操作）。尚、予め毛髪保持具の中に毛髪挿入具を挿入しておき、その後毛髪を毛髪挿入具にセットし、毛髪挿入具を毛髪保持具から抜き出すことにより毛髪を毛髪保持具に導くこともできる。
【００１９】
このようにして毛髪挿入具１を毛髪保持具Ｔの一端部Ｔ１の開口部から他端部Ｔ２の開口部に挿通させると、図５（ｃ）に示すように、毛髪束Ｈの先端が毛髪保持具Ｔの他端部Ｔ２の開口部から少しはみ出た状態となる。然る後、毛髪保持具Ｔを巻回する等して、毛髪束に所定の巻きぐせを付与することができる。
尚、必ずしも、毛髪束Ｈの先端を毛髪保持具Ｔの他端部Ｔ２の開口部からはみ出させる必要はない。また、毛髪束には、明確には束になっていないが、ある程度の本数の毛髪がまとまっているものを含む。
【００２０】
以上の通り、本実施形態の毛髪挿入具１によれば、適量の毛髪束Ｈをスムーズに毛髪保持具Ｔに挿入することができる他、毛髪を掬う道具を別途用いる必要がなく、毛髪を毛髪保持具Ｔに挿入する前後においても毛髪を梳かすことができる。
詳述すると、図４（ａ）に示すように、本体２の一端部に設けられたスライス部（係止部）２１で毛髪を梳くことができ、毛髪束Ｈを容易に形成することができる。また、図４（ｂ）に示すように、スライス部２１で掬われた毛髪束Ｈを、コーム部３の櫛歯３１で梳かすことができる。ここで、毛髪束Ｈがスライス部２１で保持されるため、コーム操作が容易である。更に、毛髪束Ｈを梳かした後、コーム部３を係止部２１側に移動させれば、係止部２１とコーム部３の櫛歯３１とで毛髪束Ｈを係止することができ、その状態で、図５に示すように、毛髪束Ｈを毛髪保持具Ｔに挿入することができる。
【００２１】
このように、本実施形態の毛髪挿入具１によれば、スライス操作、コーム操作、挿入操作を、簡便に且つ連続的に行うことができる。
また、本体２の他端部２４近傍に設けられたコーム部３Ａ、３Ｂを用いて、必要に応じて、一連のスライス操作、コーム操作、挿入操作とは別個にコーム操作を行うことができる。
更に、毛髪束Ｈを係止部２１とコーム部３の櫛歯３１とで固定できるため、毛髪束Ｈを毛髪保持具Ｔ内に取り込んでいる途中で係止部２１から毛髪束Ｈがずれ落ち難い。
【００２２】
次に、本発明の毛髪挿入具の他の実施形態について説明する。これらの実施形態については、前述の第１実施形態と異なる点についてのみ説明し、特に説明しない点については、前述の第１実施形態に関する説明が適宜適用される。そして、他の実施形態の毛髪挿入具においても、前述の第１実施形態の毛髪挿入具と同様の効果が奏される。
【００２３】
図６に示す第２実施形態の毛髪挿入具１は、図１に示す第１実施形態の毛髪挿入具１に比して、係止部（スライス部）２１における延出部２１Ｂの自由縁部に、本体２の他端部２４に向けて延出する脱落防止フック２１Ｄが設けられており、その他の点については同じである。
【００２４】
第２実施形態の毛髪挿入具１によれば、第１実施形態の毛髪保持具と同様に使用することができ、同様の効果が奏される。特に、係止部２１における延出部２１Ｂの自由縁部に、本体２の他端部２４に向けて延出する脱落防止フック２１Ｄが設けられているため、第１実施形態の毛髪保持具に比して、スライス部２１による毛髪の掬い易さが若干低下するが、その一方で、掬った後の毛髪束のスライス部２１による保持性が大幅に向上し、スライス部２１により毛髪束を保持した状態でのコーム操作が極めて容易となる。また、毛髪保持具への毛髪挿入時において、毛髪束が係止部２１から脱落し難い。
【００２５】
図７に示す第３実施形態の毛髪挿入具１は、第２実施形態の毛髪挿入具１に比して、係止部（スライス部）２１における延出部２１Ｂの自由縁部に設けられた脱落防止フック２１Ｄが延出部２１Ｂに対して可動となっており、その他の点については同じである。
具体的には、第３実施形態の毛髪挿入具１においては、係止部２１における延出部２１Ｂと脱落防止フック２１Ｄとがピン結合により回動自在に結合されており、手動で回動可能となっている。
脱落防止フック２１Ｄの回動範囲は、その先端が図７（ａ）に示す本体２の他端部２４側に向けて延出する位置から、図７（ｂ）に示す延出部２１Ｂの延出方向（本体２の幅方向）に沿って延出する位置まで９０°の範囲である。
【００２６】
このように構成された第３実施形態の毛髪挿入具１によれば、スライス操作時には、脱落防止フック２１Ｄを図７（ｂ）に示す位置に配置し、第１実施形態と同様に、毛髪を容易に掬うことができる。一方、毛髪束をスライス部２１の延出部２１Ｂで保持した状態で、脱落防止フック２１Ｄを図７（ａ）に示す位置に配置することにより、第２実施形態と同様に、スライス部２１による毛髪束の保持性を向上させた上で、コーム部３の櫛歯３１により毛髪束を容易に梳かすことができる。更に、毛髪保持具への毛髪挿入時においても、毛髪束が係止部２１から脱落し難い。
【００２７】
図８に示す第４実施形態の毛髪挿入具１は、第１実施形態の毛髪挿入具１に比して、係止部（スライス部）２１が、その基部２１Ａの延びる方向（本体２の長手方向）を回転軸として、本体２に対して回動自在となっており、その他の点については同じである。
具体的には、第４実施形態の毛髪挿入具１は、通常使用時には、図８（ａ）に示すように、第１実施形態と同様に、係合部２１の延出部２１Ｂとコーム部３の櫛歯３１とが対向した状態とすることができる。一方、係止部２１の延出部２１Ｂは、基部２１Ａを回転軸として回動自在となっており、図８（ｂ）に示すように、コーム部３の櫛歯３１の先端側に、係止部２１の延出部２１Ｂが配置していない状態とすることができる。
【００２８】
このように構成された第４実施形態の毛髪挿入具１によれば、係止部２１を図８（ｂ）に示す位置に回動することにより、コーム部３の櫛歯３１の先端側に係止部２１の延出部２１Ｂが配置していない状態とすることができるため、スライス操作とは別に、コーム部３を用いて、毛髪のコーム操作を容易に行うことができる。
【００２９】
図９に示す第５実施形態の毛髪挿入具１は、係止部の形状が鉤形ではなく、係止部と対向する位置に摺動自在なコーム部及びその櫛歯が設けられていない点等において、第１実施形態〜第４実施形態とは構成が異なる。
具体的には、第５実施形態の毛髪挿入具１においては、本体２は、均一厚の板状部材からなる。係止部２１は、略矩形の枠形状を有している。コーム部３Ｃは、係止部２１の内側上縁部に、多数の櫛歯３１Ｃが本体２の他端部２４に向けて立設されて形成されている。該コーム部３Ｃとは別に、本体２の係止部２１近傍における一方の側縁部に多数の櫛歯を有するコーム部３Ｄが設けられている。
本体２の他端部２４側は、前記コーム部３Ｄが設けられていない側縁部を含む領域が斜めに切断された形状の尖鋭状となっており、この尖鋭状の他端部２４がスライス部４を構成している。
【００３０】
このように構成された第５実施形態の毛髪挿入具１によれば、本体２の他端部２４をスライス部４として利用して、スライス操作を行うことができる。また、本体２の側縁部に設けられたコーム部３Ｄを利用して、コーム操作を行うことができる。枠形状の係止部２１には、コーム後の毛髪束をその先端側から挿入して、毛髪束を仮止めすることができる。そして、その状態でコーム部３Ｃの櫛歯３１Ｃを利用して毛髪束にコーム操作をすることができる。毛髪束を櫛歯３１Ｃに係止した状態で、毛髪保持具への毛髪束の挿入操作を行うと、毛髪束からコーム部３Ｃの櫛歯３１Ｃが離れる前に、毛髪束の先端近傍が自然に梳かれる。
【００３１】
本発明の毛髪挿入具は、前述した実施形態に制限されることなく、本発明の趣旨を逸脱しない限り、適宜変更が可能である。
本発明の毛髪挿入具における本体は、毛髪束を係止し得る係止部を一端部に有する長尺状のものであれば、前述した実施形態における本体の形態に制限されない。
係止部は、毛髪束を係止し得るものであれば、第１実施形態〜第４実施形態のような鉤形のものに制限されず、環状のものでもよい。その場合は、スライス部を係止部とは別体として設ければよい。
スライス部及びコーム部は、その機構を発揮できる場所であれば、本体の任意の箇所に１個又は複数個設けることができる。
【００３２】
図７に示す第３実施形態のような、係止部に、可動の脱落防止フックが設けられた形態における脱落防止フックの構造は、種々の構造を採用することができる。例えば、脱落防止フック２１Ｄは、常時図７（ｂ）に示す位置になるように付勢され、コーム部３の櫛歯３１が係止部２１の櫛歯孔部２１Ｃに挿入されると、図７（ａ）に示す位置に移動する構造が挙げられる。また、コーム部３を係止部２１に向けて移動させると、（櫛歯３１が櫛歯孔部２１Ｃに挿入される前においても）脱落防止フック２１Ｄが、図７（ａ）に示す位置に移動する構造が挙げられる。ボタンにより脱落防止フック２１Ｄが移動するようにしてもよい。
本発明の毛髪挿入具においては、第１実施形態〜第５実施形態の構成を適宜組み合わせた形態とすることができる。
【００３３】
本発明の毛髪挿入具と組み合わせて用いられる毛髪保持具は、一端部の開口部から他端部の開口部に向けて毛髪束を挿通可能にシートにより構成された筒状体からなり、毛髪束を所定の形状に巻き上げるときの補助具として用いられるものであれば、その断面形状、巻き上げ形態、形成方法、巻き上げ用糸の有無等は任意である。
【図面の簡単な説明】
【００３４】
【図１】図１は、本発明の毛髪挿入具の第１実施形態を示す図で、（ａ）は正面図、（ｂ）は背面図である。
【図２】図２は、図１に示す実施形態の毛髪挿入具の上半分の左側面図である。
【図３】図３は、図１に示す実施形態の毛髪挿入具の上半分を示す正面図〔図１（ａ）上半分対応図〕で、（ａ）はコーム部を上方に移動させた状態を示す図、（ｂ）は係合部に毛髪束を係止させた状態を示す図である。
【図４】図４は、図１に示す実施形態の毛髪挿入具の一使用態様を示す図で、（ａ）はスライス操作を示す斜視図、（ｂ）はコーム操作を示す斜視図である。
【図５】図５は、図１に示す実施形態の毛髪挿入具の一使用態様を示す図で、（ａ）、（ｂ）及び（ｃ）は、それぞれ毛髪挿入具の毛髪保持具への挿通手順を順次示す正面図である。
【図６】図６は、本発明の毛髪挿入具の第２実施形態の上半分を示す正面図〔図１（ａ）上半分対応図〕である。
【図７】図７は、本発明の毛髪挿入具の第３実施形態の上半分を示す正面図〔図１（ａ）上半分対応図〕で、（ａ）は脱落防止フックが下向きの状態を示す図、（ｂ）は脱落防止フックが横向きの状態を示す図である。
【図８】図８は、本発明の毛髪挿入具の第４実施形態の上半分を示す正面図で、（ａ）は係止部の延出部がコーム部の櫛歯の対向位置に配置された状態を示す図〔図１（ａ）上半分対応図〕、（ｂ）は係止部の延出部を回動させた状態を示す図である。
【図９】図９は、本発明の毛髪挿入具の第５実施形態を示す正面図である。
【符号の説明】
【００３５】
１  毛髪挿入具
２  本体
２１  係合部（スライス部）
３、３Ａ、３Ｂ  コーム部
３１  櫛歯
Ｈ  毛髪束
Ｔ  毛髪保持具（筒状体）
Ｔ１  一端部
Ｔ２  他端部
【図１】
2005318989.tif 000003
【図２】
2005318989.tif 000004
【図３】
2005318989.tif 000005
【図４】
2005318989.tif 000006
【図５】
2005318989.tif 000007
【図６】
2005318989.tif 000008
【図７】
2005318989.tif 000009
【図８】
2005318989.tif 000010
【図９】
2005318989.tif 000011